(57)【要約】      （修正有）【課題】オーバーフロー槽がオーバーフローしにくいとともに常時循環路において濾過され流れる水を一定にした状態に維持しやすい装置の提供。【解決手段】プールの水槽１内の水を常時ろ過器を通して循環させる常時循環路２とオーバーフローした水を一旦オーバーフロー槽６に導入した後に常時循環路２に合流させるオーバーフロー循環路５とを備え、循環路５に常時循環水調節バルブ２９を設置するとともにオーバーフロー循環路５にオーバーフロー水調節バルブ５９を設置し、オーバーフロー水調節バルブ５９の通水量と常時循環水調節バルブ２９の通水量の総和を一定にするとともにオーバーフロー水調節バルブ５９の通水量をオーバーフロー槽６の水位に応じて変動させ、水位が高くなったときに大きく低くなったときに小さくさせる。【選択図】図１
2010112106.tif 000002
【特許請求の範囲】
【請求項１】
プール等の水槽内の水を、常時ろ過器を通して循環させる常時循環路と、オーバーフローした水を一旦オーバーフロー槽に導入した後に前記常時循環路に合流させるオーバーフロー循環路とを備え、前記常時循環路における前記合流点よりも下流側に濾過ポンプを設置し、前記循環路における前記合流点の上流側に常時循環水調節バルブを設置するとともに前記オーバーフロー循環路にオーバーフロー水調節バルブを設置したプール等における水の循環給水システムにおいて、
前記オーバーフロー水調節バルブの通水量と前記常時循環水調節バルブの通水量の総和を一定にするとともに前記オーバーフロー水調節バルブの通水量を前記オーバーフロー槽の水位に応じて変動させ、水位が高くなったときに大きく、低くなったときに小さくさせることを特徴とするプール等における水の循環給水システム。
【請求項２】
前記通水量は各々の調節バルブの開度を調整し、両バルブの開いている断面積の総和を一定にすることにより行うなうことを特徴とする請求項１のプール等における水の循環給水システム。
【請求項３】
前記オーバーフロー水調節バルブの通水量は、前記オーバーフロー槽の水位が所定の水位よりも高くなった際に変動することを特徴とする請求項１のプール等における水の循環給水システム。
【発明の詳細な説明】
【技術分野】
【０００１】
この発明はプール等における水の循環給水システムに関し、プールや大型浴槽のように、一度に多数人が入る水槽等において節水効果を高める際に使用されるものである。
【背景技術】
【０００２】
従来におけるこの種の水の循環給水システムにおいては、プール等の水槽内の水を、常時ろ過器を通して循環させる常時循環路と、水槽からオーバーフローした水を一旦オーバーフロー槽に導入した後に前記常時循環路に合流させるオーバーフロー循環路とを備え、前記オーバーフロー槽におけるオーバーフロー時に、前記オーバーフロー槽に対してそのオーバーフロー量に相応する給水を行なうものであり、循環する水の量、換言すれば、本システム全体に存在する水の絶対量を何ら変えることなく、その絶対量がオーバーフロー槽におけるオーバーフローによって減少した場合にのみ補給をすることによって、無駄な排水を最小限に抑えるようにしたものである（特開２００１−３４９０７５）。
【０００３】
【特許文献１】特開２００１−３４９０７５号公報
【発明の開示】
【発明が解決しようとする課題】
【０００４】
しかしながら、かかる従来の水の循環給水システムにあっては、前記オーバーフロー槽においてオーバーフローした場合、そのオーバーフロー量に相応する給水をしなければならないため、補給水を用意しなければならないとともに、給水した場合、循環している水の温度が一時的に下がるため、加熱して元の温度にしなければならないという不都合を有した。
【０００５】
出願人は、かかる不都合を解消するために、  前記オーバーフロー回収ポンプの運転効率と前記濾過ポンプの運転効率の総和を一定にするとともに前記オーバーフロー回収ポンプの運転効率を前記オーバーフロー槽の水位に応じて変動させ、水位が高くなったときに大きく、低くなったときに小さくさせるようにしたものを発明し、既に、特許出願している。
【０００６】
この発明の課題は前記不都合を解消するとともにこの出願中の発明を更に改良することである。
【課題を解決するための手段】
【０００７】
この発明に係るプール等における水の循環給水システムにおいては、プール等の水槽内の水を、常時ろ過器を通して循環させる常時循環路と、オーバーフローした水を一旦オーバーフロー槽に導入した後に前記常時循環路に合流させるオーバーフロー循環路とを備え、前記常時循環路における前記合流点よりも下流側に濾過ポンプを設置し、前記循環路における前記合流点の上流側に常時循環水調節バルブを設置するとともに前記オーバーフロー循環路にオーバーフロー水調節バルブを設置したプール等における水の循環給水システムにおいて、
前記オーバーフロー水調節バルブの通水量と前記常時循環水調節バルブの通水量の総和を一定にするとともに前記オーバーフロー水調節バルブの通水量を前記オーバーフロー槽の水位に応じて変動させ、水位が高くなったときに大きく、低くなったときに小さくさせようにしたものである。
【０００８】
なお、前記通水量は各々の調節バルブの開度を調整し、両バルブの開いている断面積の総和を一定にすることにより行うなうものである。
【０００９】
また、この場合、前記オーバーフロー水調節バルブの通水量は、前記オーバーフロー槽の水位が所定の水位よりも高くなった際に変動するようにすることもできる。
【発明の効果】
【００１０】
この発明に係るプール等における水の循環給水システムは上記のように構成されているため、即ち、プール等の水槽内の水を、常時ろ過器を通して循環させる常時循環路と、オーバーフローした水を一旦オーバーフロー槽に導入した後に前記常時循環路に合流させるオーバーフロー循環路とを備え、前記常時循環路における前記合流点よりも下流側に濾過ポンプを設置し、前記循環路における前記合流点の上流側に常時循環水調節バルブを設置するとともに前記オーバーフロー循環路にオーバーフロー水調節バルブを設置したプール等における水の循環給水システムにおいて、
前記オーバーフロー水調節バルブの通水量と前記常時循環水調節バルブの通水量の総和を一定にするとともに前記オーバーフロー水調節バルブの通水量を前記オーバーフロー槽の水位に応じて変動させ、水位が高くなったときに大きく、低くなったときに小さくさせるように構成されているため、
オーバーフローした水がオーバーフロー槽に導入し、その水面が上昇した場合でも、常時循環路に流れ濾過される水量を一定にした状態で、オーバーフロー水調節バルブの通水量が多くなるとともに常時循環水調節バルブの通水量が少なくなるものである。よって、オーバーフロー水調節バルブおよび常時循環水調節バルブの常態における通水量およびオーバーフロー槽の水面の変動に応じてのオーバーフロー水調節バルブの通水量の変動割合を調節しておけば、作動ポンプが一つであるにも関わらず、プール等の水槽において大量の水が一時的にオーバーフローした際にもオーバーフロー水調節バルブの通水量が大きくなってオーバーフロー槽の水を効率よく常時循環路に合流させることができるため、オーバーフロー槽がオーバーフローしにくいとともに常時循環路において濾過され流れる水を一定にした状態に維持しやすいものである。
【００１１】
よって、このプール等における水の循環給水システムを使用すれば、オーバーフロー槽への水の補給が従来よりも少なくなるとともに水の給水が少なくなるため給水した場合に一時的に下がる水（循環している水）の温度を加熱して元の温度にする手間も少なくなるものである。さらに、このシステムにおいては、従来２台必要としてポンプを濾過ポンプ１台のみで済むため、装置自体がコンパクトになり、施工がしやすいとともに設置スペースが少なくてすみ、更に、装置のメンテナンスが従来よりも容易になる。
【００１２】
なお、前記通水量は各々の調節バルブの開度を調整し、両バルブの開いている断面積の総和を一定にすることにより行うなうものである。
【００１３】
また、この場合、前記オーバーフロー水調節バルブの通水量は、前記オーバーフロー槽の水位が所定の水位よりも高くなった際に変動するようにすれば、前記オーバーフロー槽の水位が所定の水位未満では、オーバーフロー水調節バルブの通水量及び常時循環水調節バルブの通水量を一定にしておくことができるため、システムの取扱いがしやすいものである。
【発明を実施するための最良の形態】
【００１４】
この発明に係るプール等における水の循環給水システムは  前記オーバーフロー水調節バルブの通水量と前記常時循環水調節バルブの通水量の総和を一定にするとともに前記オーバーフロー水調節バルブの通水量を前記オーバーフロー槽の水位に応じて変動させ、水位が高くなったときに大きく、低くなったときに小さくさせるように構成されている。そして、オーバーフロー槽がオーバーフローしないように、オーバーフロー槽の水面の変動に応じて前記オーバーフロー水調節バルブの通水量を調節することに最も主要な特徴を有する。
【実施例】
【００１５】
以下、この発明の実施例を図面に基づいて説明する。
図１はこの発明に係るプール等における水の循環給水システムのフローシート図、図２はオーバーフロー水調節バルブの通水量と常時循環水調節バルブの通水量の関係を示したグラフである。
【００１６】
図１において、１はプール（水槽）、11,11 はこのプール１の底部に設置された環水口、12はこのプール１の側面に設置された給水口、13,13 はこのプール１の上面周囲に設置されたオーバーフロー溝である。
【００１７】
２は常時循環路であり、前記環水口11,11 と前記給水口12,12 とを繋いでいる。前記環水口11,11 から吸引されたプール１の水Ｗは、この常時循環路２を循環しながら濾過され、前記給水口12,12 を介してプール１に戻される（矢印方向）。
【００１８】
21は濾過ポンプであり、前記常時循環路２に設置されている。この濾過ポンプ21の作動は制御部Ｃに基づいて作動する。また、22は除毛器であり、前記常時循環路２における前記濾過ポンプ21の上流側に設置されている。この除毛器22は前記濾過ポンプ21に流れ込むプールの水に混じった毛髪類を除去するためのものである。
【００１９】
29は常時循環水調節バルブであり、前記常時循環路２における前記除毛器22の上流側に設置されている。この常時循環水調節バルブ29は電動式二方向弁であり、その開度を前記制御部Ｃによって調整され、前記環水口11,11 から吸引され、前記濾過ポンプ21に流れるプール１の水Ｗの通水量を調整する。                      
【００２０】
23は濾過タンクであり、前記常時循環路２における前記濾過ポンプ21の下流側に設置されている。循環する水はこの濾過タンク23を通過することによって濾過される。
【００２１】
25は熱交換器，ボイラー等の熱源であり、前記常時循環路２における前記濾過タンク23の下流側に設置されている。循環する水はこの熱源25を通過することによって所定の温度に維持される。なお、251 は温度調節用の電動式三方向弁であり、制御部Ｃによって制御され、前記熱源25への給湯を調整して、その設定温度を調節するためのものである。
【００２２】
40は殺菌装置であり、殺菌剤注入路41を介して、前記常時循環路２における前記濾過ボンプ21の下流側に繋がれている。この殺菌ポンプ40が制御部Ｃを介して作動することによって、前記常時循環路２を循環する水に定期的に殺菌剤が注入される。
【００２３】
前記プール１の水Ｗは、原則として、前記濾過ポンプ21の作動によって、前記環水口11,11 から吸引され、前記常時循環路２を循環しながら、除毛器22によって毛髪類を除去され、濾過タンク23によって濾過され、熱源25によって所定の温度に維持され、殺菌された状態で、前記給水口12,12 を介して前記プール１に還流されるものである。
【００２４】
３は排水路であり、前記プール１における環水口11,11 近傍において、前記常時循環路２にバルブ31を介して繋がれている。この排水路３は原則として前記プール１内の水Ｗを排水する場合に使用される。なお、この排水路３には前記濾過タンク23からの排水路32も合流している。これは、不用となった濾過タンク23内のドレンを排水及び逆洗排水するためである。
【００２５】
次に、６はオーバーフロー槽であり、オーバーフロー流入路（オーバーフロー循環路）51を介して、前記プール１のオーバーフロー溝13に繋がれている。前記プール１内の水Ｗがオーバーフローすると、オーバーフロー水Ｗはオーバーフロー溝13に浸入する。そして、オーバーフロー流入路51を介して、前記オーバーフロー槽６に流れ込み、一時的に貯留される。なお、オーバーフロー槽６には常時、一定量の水が貯留されており、この一定量の水の水位をこの発明の所定の水位とすることもできる。
【００２６】
52はオーバーフロー流出路（オーバーフロー循環路）であり、上流端を前記オーバーフロー槽６に繋げ、下流端をオーバーフロー水調節バルブ59を介して前記常時循環路２における前記常時循環水調節バルブ29の下流側に合流している。このオーバーフロー水調節バルブ59は電動式二方向弁であり、その開度を前記制御部Ｃによって調整され、前記オーバーフロー槽６から吸引され、前記濾過ポンプ21に流れる通水量を調整する。このオーバーフロー水調節バルブ59の通水量および前記常時循環水調節バルブ61の通水量は、制御部Ｃを介して各々のその開度が調整され、その総和は常に一定になるように設定されている。
【００２７】
なお、前記オーバーフロー流入路51とオーバーフロー流出路52とによって、この発明の「オーバーフロー循環路」が構成される。
【００２８】
なお、56は排水路（オーバーフロー槽６の）であり、不用となったオーバーフロー槽６内のドレンを排水するためである。
【００２９】
７は前記オーバーフロー槽６に給水をするための補給路であり、途中に電動式二方向弁71が設置されている。この電動式二方向弁71を開放することによって、前記オーバーフロー槽50に給水することができる。なお、電動式二方向弁71と平行に手動コック72も設置され、手動によっても給水可能にしている。
【００３０】
81はレベル計であり、前記オーバーフロー槽６に設置されている。このレベル計81は３Ｐ電極からなり、水位の上限・下限を検知するためのものである。即ち、水位の下限を検知したとき、前記電動式二方向弁71を開放して前記オーバーフロー槽６への給水を開始し、水位の上限を検知してとき、前記電動式二方向弁71を閉止して前記オーバーフロー槽６への給水を停止する。なお、これらの制御はすべて制御部（制御盤）Ｃを介して行われる。
【００３１】
９は水位センサーであり、前記オーバーフロー槽６の上部に設置されている。この水位センサー９は超音波によって、その設置位置から水面までの距離を計測することによって、前記オーバーフロー槽６の水位を計測する。そして、制御部Ｃを介して、所定の範囲内において、前記水位に応じて前記オーバーフロー水調節バルブ59の開度を調節して通水量を変動させ、水位が高くなったときに大きく、低くなったときに小さくなる。このとき、前記常時循環水調節バルブ61の通水量は、前記オーバーフロー水調節バルブ59の通水量に応じて、その総和が一定の範囲内において変動する。即ち、前記常時循環水調節バルブ61の通水量は、その総和が一定の範囲内において前記水位が高くなったときに小さく、低くなったときに大きくなる（図２を参照のこと）。なお、前記オーバーフロー水調節バルブ59の通水量および前記常時循環水調節バルブ29の通水量は、各々のバルブの開度を調節することによって調整される。なお、この場合、これらの通水量は各々の調節バルブ29,59 の開度を調整し、両バルブ29,59 の開いている断面積の総和を一定にすることにより行うなうものである。
【００３２】
なお、このシステムは電気的に制御され、前記制御部Ｃによってすべてコントロールされている。
【産業上の利用可能性】
【００３３】
この発明は、オーバーフロー槽において水の補給が従来よりも少なくなり、また、水の補給が少なくなるため給水した際に一時的に下がる水（循環している水）の温度を加熱して元の温度にする手間も少なくなる、さらに、このシステムにおいては、従来２台必要としていたポンプを濾過ポンプ１台のみで済むため、装置自体がコンパクトになり、施工がしやすいとともに設置スペースが少なくてすみ、更に、装置のメンテナンスが従来よりも容易になる。この結果、プール等における水の循環給水システムに利用することができるものである。
【図面の簡単な説明】
【００３４】
【図１】この発明に係るプール等における水の循環給水システムのフローシート図である。
【図２】オーバーフロー水調節バルブの通水量と常時循環水調節バルブの通水量の関係を示したグラフである。
【符号の説明】
【００３５】
Ｗ  …  プールの水
Ｃ  …  制御部
１  …  プール（水槽）
11  …  環水口
12  …  給水口
13  …  オーバーフロー溝
２  …  常時循環路
21  …  濾過ポンプ
22  …  除毛器  
23  …  濾過タンク
25  …  熱交換器，ボイラー等の熱源
251 …  温度調節用の電動三方向弁又は電動二方向弁
29  …  常時循環水調節バルブ
３  …  排水路
31  …  バルブ
40  …  殺菌装置
41  …  殺菌剤注入路
５  …  オーバーフロー循環路
51  …  オーバーフロー流入路（オーバーフロー循環路）
52  …  オーバーフロー流出路（オーバーフロー循環路）
56  …  排水路（オーバーフロー槽の）
59  …  オーバーフロー水調節バルブ
６  …  オーバーフロー槽
７  …  補給路
71  …  電動式二方向弁
72  …  手動コック
81  …  レベル計
９  …  水位センサー
【図１】
2010112106.tif 000003
【図２】
2010112106.tif 000004